(57)【要約】【課題】面白いと思ったことがあったときや、チョットした事象があったときに使用者の操作に基づいて取得された所定の情報に基づいて、文字入力の手間なく文章が作成できて、その作成した文章を送信、投稿、アップすることができる。【解決手段】文章作成に用いるテンプレートの情報を記憶しておく。使用者の操作に基づいて、自端末の現在位置を示す位置情報と、前記現在位置に紐付いた画像情報とを含む所定の情報を取得し、その所定の情報を表示画面に表示して使用者に提示すると共に、その所定の情報に関連する文章の作成の指示を受け付けるための操作手段を提示する。提示された操作手段を通じて、文章の作成の指示を使用者から受け付けたと判別したときに、取得した所定の情報と、テンプレートの情報とを用いて、送出する文章を作成し、使用者の指示に基づき、作成された文章を所定の宛先に送出する。【選択図】図１
2014089546.tif 000002
【特許請求の範囲】
【請求項１】
表示画面と、
文章作成に用いるテンプレートの情報を記憶するテンプレート記憶手段と、
使用者の操作に基づいて、自端末の現在位置を示す位置情報と、前記現在位置に紐付いた画像情報とを含む所定の情報を取得する情報取得手段と、
前記情報取得手段で取得した前記所定の情報を前記表示画面に表示して使用者に提示するとともに、前記使用者に提示された前記所定の情報に関連する文章の作成の指示を受け付けるための操作手段を提示する提示手段と、
前記提示手段により提示された操作手段を通じて、前記提示された前記所定の情報に関連する文章の作成の指示を使用者から受け付けたか否か判別する判別手段と、
前記判別手段で、前記使用者から文章の作成の指示を受け付けたと判別したときに、前記情報取得手段で取得した前記所定の情報と、前記テンプレートの情報とを用いて、送出する文章を作成して前記表示画面に表示する文章作成手段と、
使用者の指示に基づき、前記文章作成手段で作成された文章を、通信ネットワークを通じて所定の宛先に送出する発信手段と、
を備えることを特徴とする文章作成送出装置。
【請求項２】
カメラ部を備え、
前記情報取得手段は、前記現在位置に紐付いた画像情報として、前記カメラ部により撮影した撮影画像情報を取得するものであり、
前記文章作成手段は、前記位置情報を含む前記文章を作成し、
前記発信手段は、前記文章と共に、前記撮影画像情報を、前記通信ネットワークを通じて所定の宛先に送出する
ことを特徴とする請求項１に記載の文章作成送出装置。
【請求項３】
カメラ部と、
顔画像情報を、誰の顔画像であるかを示すテキスト情報と共に格納する格納手段と、
前記カメラ部で撮影された撮影画像情報について、前記格納手段に格納されている前記顔画像情報を用いて顔認識して、前記撮影画像情報に含まれる顔画像が誰の顔画像であるかを示すテキスト情報を取得する顔画像認識手段と、
を備え、
前記情報取得手段は、前記現在位置に紐付いた画像情報として、前記カメラ部により撮影した撮影画像情報を取得するものであり、
前記文章作成手段は、前記テンプレートの情報を用いて、前記顔画像認識手段により取得された前記誰の顔画像であるかを示すテキスト情報を含む前記文章を作成し、
前記発信手段は、前記文章と共に、前記撮影画像情報を、前記通信ネットワークを通じて所定の宛先に送出する
ことを特徴とする請求項１に記載の文章作成送出装置。
【請求項４】
前記情報取得手段は、前記現在位置に紐付いた画像情報として、前記通信ネットワークを通じて前記自端末の現在位置に紐付いた画像情報を取得するものであり、
ことを特徴とする請求項１に記載の文章作成送出装置。
【請求項５】
前記情報取得手段は、自端末の現在位置を示す位置情報に加えて、前記現在位置に関連する情報を前記所定の情報として取得するものであり、
前記文章作成手段は、前記位置情報と、前記現在位置に関連する情報とを含む前記文章を作成する
ことを特徴とする請求項１〜請求項４のいずれかに記載の文章作成送出装置。
【請求項６】
前記テンプレート記憶手段には、同一内容のテンプレートの情報として、表現の仕方が異なる複数種のテンプレートの情報が記憶されており、
使用者により、前記表示画面に表示される前記複数種のテンプレートの情報の一覧リストから、前記文章作成手段で用いられるテンプレートの情報が選択可能とされていることを特徴とする請求項１〜請求項５のいずれかに記載の文章作成送出装置。
【請求項７】
前記発信手段により送出される前記所定の宛先の情報を使用者に提示して、前記使用者による前記所定の宛先の選択を受け付ける手段を備える
ことを特徴とする請求項１〜請求項６のいずれかに記載の文章作成送出装置。
【請求項８】
カメラ部と、
顔画像情報を、誰の顔画像であるかを示すテキスト情報と共に格納する格納手段と、
前記カメラ部で撮影された撮影画像情報について、前記格納手段に格納されている前記顔画像情報を用いて顔認識して、前記撮影画像情報に含まれる顔画像が誰の顔画像であるかを示すテキスト情報を取得する顔画像認識手段と、
を備え、
前記情報取得手段は、前記現在位置に紐付いた画像情報として、前記カメラ部により撮影した撮影画像情報を取得するものであり、
前記顔画像認識手段により顔認識された顔画像に対応する前記所定の宛先と、所定の文章を記憶する記憶部を備え、
前記発信手段は、前記顔画像認識手段により顔認識された顔画像に対応する前記所定の宛先が、前記記憶部に記憶されているときには、前記記憶部に記憶されている前記所定の文章と共に、前記撮影画像情報を、前記通信ネットワークを通じて所定の宛先に自動的に送出する
ことを特徴とする請求項１に記載の文章作成送出装置。
【請求項９】
前記発信手段は、前記送出する情報には、前記現在位置を中心とした地図情報を前記通信ネットワークを通じて取得するためのリンク情報を付加する
ことを特徴とする請求項１〜請求項８のいずれかに記載の文章作成送出装置。
【請求項１０】
表示画面を有する文章作成送出装置が備えるコンピュータを、
文章作成に用いるテンプレートの情報を記憶するテンプレート記憶手段、
使用者の操作に基づいて、自端末の現在位置を示す位置情報と、前記現在位置に紐付いた画像情報とを含む所定の情報を取得する情報取得手段、
前記情報取得手段で取得した前記所定の情報を前記表示画面に表示して使用者に提示するとともに、前記使用者に提示された前記所定の情報に関連する文章の作成の指示を受け付けるための操作手段を提示する提示手段、
前記提示手段により提示された操作手段を通じて、前記提示された前記所定の情報に関連する文章の作成の指示を使用者から受け付けたか否か判別する判別手段、
前記判別手段で、前記使用者から文章の作成の指示を受け付けたと判別したときに、前記情報取得手段で取得した前記所定の情報と、前記テンプレートの情報とを用いて、送出する文章を作成して前記表示画面に表示する文章作成手段、
使用者の指示に基づき、前記文章作成手段で作成された文章を、通信ネットワークを通じて所定の宛先に送出する発信手段、
として機能させるための文章作成送出用プログラム。
【発明の詳細な説明】
【技術分野】
【０００１】
この発明は、例えば携帯電話端末などの通信機能を備える携帯装置に適用して好適な文章作成送出装置及び当該文章作成送出装置に用いられる文章作成送出用プログラムに関する。
【背景技術】
【０００２】
最近の中高生は、従来からの通常の携帯電話端末や、スマートホンと呼ばれる高機能携帯電話端末を所持している者は多いが、金銭的な制約から有料のアプリケーションをダウンロードして使用したり、通常の音声通話を長時間にわたり利用したりすることは殆どない。その代わりに、メール、チャット、ツイッター、プロフなどの文字からなる文章を用いた通信の利用頻度は高く、しかも、撮影した写真を、送信、投稿、アップする文章に付加することも頻度が高い。
【０００３】
そこで、写真と共に、送信、投稿、アップロード（以下、単にアップという）する文章を容易に作成することができれば便利である。このような観点から、文章を容易に作成することができるようにする提案が、例えば特許文献１（特開２００８−２４２７６２号公報）、特許文献２（特開２００８−０２７０４２号公報）、特許文献３（特開２００６−３０１８８４号公報）などに開示されている。
【０００４】
すなわち、特許文献１には、携帯電話端末での通話情報、メール情報、カメラによる撮影画像情報などを時刻と対応付けて時系列で記憶して、それらを分析し、その分析結果を一覧表示することができるようにし、使用者が、その一覧表示の中からブログに書きたい項目を選択することに基づき、ブログデータ（文章）を自動生成することが記載されている。
【０００５】
また、特許文献２には、携帯電話端末の操作履歴を保存しておき、使用者がコメントを付加した操作履歴情報を、自動的にブログにアップすることができるようにすることが開示されている。
【０００６】
また、特許文献３には、使用者が携帯電話端末を利用して特定の行為を行った際の自端末の位置情報と、その日時と、前記特定の行為の情報とをイベント情報として記憶手段に記憶蓄積しておき、使用者の操作に応じて、蓄積されたイベント情報から選択されたイベント情報をブログにアップすることが開示されている。
【０００７】
また、特許文献４（特開２０１１−１６４０６５号公報）には、場所の名称などが挿入される部分を空欄とした複数個の基本文章を登録して用意しておくと共に、文章作成条件として、例えば「主要交差点を通過したとき」などを記憶させておき、車両が通過した主要交差点の名称を位置情報及び地図情報から特定して、用意されている文章の空間に当該交差点の名称を挿入することで、自動的に文章を作成させることができるナビゲーション装置が開示されている。この特許文献４においては、作成された複数の文章の中から使用者が選択して文章を、使用者が指定した送信先に送信するようにすることも開示されている。
【先行技術文献】
【特許文献】
【０００８】
【特許文献１】特開２００８−２４２７６２号公報
【特許文献２】特開２００８−０２７０４２号公報
【特許文献３】特開２００６−３０１８８４号公報
【特許文献４】特開２０１１−１６４０６５号公報
【発明の概要】
【発明が解決しようとする課題】
【０００９】
ところで、中高生などの使用者は、面白いと思ったことがあったときや、チョットした事象があったときに、当該位置で撮影した写真など、当該位置に紐付いた画像情報を取得し、その時点及びその場所で作成した文章と合わせて、所望の送出先に送信、投稿、アップするようにしたいという欲求がある。しかしながら、従来は、文字入力に手間がかかるため、文章作成が厄介であると言う問題がある。したがって、文字入力の手間なく、文章が作成できて、例えばその場で撮影した写真などの画像情報と共に送信、投稿、アップすることができれば、使用者にとっては非常に便利である。
【００１０】
そこで、上述の特許文献１，２，３に開示されているような自動文章作成の技術を利用することが考えられるが、上述の特許文献１，２，３に開示されている技術は、いずれも、携帯電話端末に情報を蓄積しておき、当該過去の蓄積情報から、使用者の選択操作や、コメント入力などの操作に基づいて、文書が作成される仕組みとなっている。したがって、蓄積情報を用いることで、文章の元となる種は豊富に存在するので、文章作成を全て使用者が文字入力をするよりは負担が軽減されるが、使用者は、その豊富な文章の種を取捨選択する選択操作が必要であると共に、それらの選択した種を結合するコメント入力は必要であるので、文章作成における厄介さは依然として残る。しかも、その時点及びその場所に関連する文章を作成して、送信、投稿、アップすると言うように、リアルタイム性が重要視される場面では、これらの特許文献１，２，３の技術を用いることは困難である。
【００１１】
また、特許文献４に開示されている技術を利用する場合には、文章作成条件を予め設定しておく必要があり、使用者が、面白いと思ったことがあったときや、チョットした事象があったときに、その時点及びその場所で文章を作成する用途には、やはり適用することが困難である。
【００１２】
この発明は、以上の点に鑑み、面白いと思ったことがあったときや、チョットした事象があったときに使用者の操作に基づいて取得された画像情報を含む所定の情報に基づいて、文字入力の手間なく文章が作成できて、その作成した文章を送信、投稿、アップすることができるようにすることを目的とする。
【課題を解決するための手段】
【００１３】
上記の課題を解決するために、この発明は、
表示画面と、
文章作成に用いるテンプレートの情報を記憶するテンプレート記憶手段と、
使用者の操作に基づいて、自端末の現在位置を示す位置情報と、前記現在位置に紐付いた画像情報とを含む所定の情報を取得する情報取得手段と、
前記情報取得手段で取得した前記所定の情報を前記表示画面に表示して使用者に提示するとともに、前記使用者に提示された前記所定の情報に関連する文章の作成の指示を受け付けるための操作手段を提示する提示手段と、
前記提示手段により提示された操作手段を通じて、前記提示された前記所定の情報に関連する文章の作成の指示を使用者から受け付けたか否か判別する判別手段と、
前記判別手段で、前記使用者から文章の作成の指示を受け付けたと判別したときに、前記情報取得手段で取得した前記所定の情報と、前記テンプレートの情報とを用いて、送出する文章を作成して前記表示画面に表示する文章作成手段と、
使用者の指示に基づき、前記文章作成手段で作成された文章を、通信ネットワークを通じて所定の宛先に送出する発信手段と、
を備えることを特徴とする文章作成送出装置を提供する。
【００１４】
上記の構成を有するこの発明においては、使用者は、例えば面白いと思ったことがあったときや、チョットした事象があったときには、例えばその時点及びそのときの現在位置において、情報取得手段により自端末の現在位置を示す位置情報と、前記現在位置に紐付いた画像情報とを含む所定の情報を取得する。取得された所定の情報は、提示手段により表示画面に表示されて使用者に提示される。このとき、提示手段は、所定の情報と共に、当該表示された所定の情報に関連する文章の作成指示を使用者から受け付けるための操作手段を併せて表示画面に提示する。
【００１５】
使用者は、その表示画面に提示された情報を見て、それが良さそうな情報であると判断したときには、それを文章にして友人や誰かに提供するために、表示画面に提示されている操作手段を通じて文章の作成指示をする。
【００１６】
文章作成手段は、判別手段で、使用者による、この操作手段を通じた前記文章の作成の指示を受け付けたと判別すると、テンプレート記憶手段に記憶されている文章作成に用いるテンプレートの情報と、表示画面に提示された前記所定の情報とを用いて、送出する文章を使用者の文字入力の手間なく、自動的に作成して表示画面に表示する。
【００１７】
使用者は、この表示画面に表示された文章を見て、送信すると決めたときには、送信指示をする。この送信指示に基づき、発信手段は、作成された文章を、通信ネットワークを通じて所定の宛先に送出する。
【００１８】
以上のように、この発明においては、使用者は、例えば面白いと思ったことがあったときや、チョットした事象があったときに、その時点及びそのときの現在位置において、情報取得手段により、その現在位置の位置情報と、当該現在位置に紐付いた画像情報を含む所定の情報を取得して表示画面にその所定の情報を表示させ、その表示画面に提示された所定の情報を見て、例えばその所定の情報が良さそうな情報であったときには、その所定の情報に関連する文章の作成指示をすることができる。
【００１９】
そして、使用者が、文章の作成指示をすると、文章作成手段により、提示されている所定の情報に関連する文章が、自動的に作成されて表示画面に表示される。使用者は、その作成された文章の送信指示をすることにより、当該文章と画像情報とを合わせて送出することができる。
【００２０】
この場合に、提示する所定の情報には、現在位置が何処であるかを示す場所名などや当該現在位置に関連する情報としたり、カメラ部で現在位置において撮影して取り込んだ撮影画像としたりすることができる。
【発明の効果】
【００２１】
この発明によれば、使用者は、所定の情報の取得指示、文章作成指示及び文章送出指示をするだけで、面白いと思ったことがあったときや、チョットした事象があったときに、自端末の現在位置を示す位置情報と、前記現在位置に紐付いた画像情報とを含む所定の情報を取得して、文章の作成指示をすることにより、文字入力の手間なく、取得した所定の情報に関連する文章を自動的に作成して、取得した画像情報と共に所定の宛先に簡単に送出することができる。
【図面の簡単な説明】
【００２２】
【図１】この発明による文章作成送出装置の実施形態を含むネットワークシステムを説明するための図である。
【図２】この発明による文章作成送出装置の実施形態としての携帯電話端末のハードウエア構成例を示すブロック図である。
【図３】図２の例の携帯電話端末が備えるメモリの記憶内容を説明するための図である。
【図４】図２の例の携帯電話端末が備えるメモリの記憶内容を説明するための図である。
【図５】図２の例の携帯電話端末の表示画面に表示される表示画像の例を示す図である。
【図６】図１のネットワークシステムにおける一つのＷｅｂサイトの情報提供サーバのハードウエア構成例を示すブロック図である。
【図７】図６の例の情報提供サーバの一部の構成を説明するための図である。
【図８】この発明による文章作成送出装置の実施形態における処理動作の流れの例を示すフローチャートの一部を示す図である。
【図９】この発明による文章作成送出装置の実施形態における処理動作の流れの例を示すフローチャートの一部を示す図である。
【図１０】この発明による文章作成送出装置の実施形態における処理動作の流れの例を示すフローチャートの一部を示す図である。
【図１１】この発明による文章作成送出装置の実施形態における処理動作の流れの例を示すフローチャートの一部を示す図である。
【図１２】この発明による文章作成送出装置の実施形態において表示画面に表示される表示画像の例を示す図である。
【図１３】この発明による文章作成送出装置の実施形態において表示画面に表示される表示画像の例を示す図である。
【図１４】この発明による文章作成送出装置の実施形態において表示画面に表示される表示画像の例を示す図である。
【図１５】この発明による文章作成送出装置の実施形態において表示画面に表示される表示画像の例を示す図である。
【発明を実施するための形態】
【００２３】
以下、この発明による文章作成送出装置を携帯電話端末に適用した場合の実施形態を、図を参照しながら説明する。
【００２４】
図２は、この発明による文章作成送出装置の一実施形態が適用された携帯電話端末１０のハードウエア構成例を示すブロック図である。この例の携帯電話端末１０は、いわゆるスマートホンと呼ばれる端末の構成を備える場合である。
【００２５】
すなわち、図２に示すように、この例の携帯電話端末１０は、マイクロコンピュータで構成される制御部１０１が、システムバス１００を通じて、無線通信回路部１０２、送受信情報処理部１０３、通話回路部１０４、ディスプレイインターフェース１０５、タッチパネルインターフェース１０６、ＧＰＳ測位部１０７、メモリ１０８、時計回路部１０９、顔画像認識部１１０、カメラ部１１１、のそれぞれと接続されている。
【００２６】
制御部１０１は、携帯電話端末１０の電話機能やその他の各種制御処理を制御するためのものである。この例では、制御部１０１は、メモリ１０８に格納されるアプリケーションプログラムを実行して、後述する文章作成送出処理などの種々のアプリケーション処理を実行制御するようにする。
【００２７】
無線通信回路部１０２は、携帯電話網の基地局を通じて通信ネットワークに接続するためのものである。送受信情報処理部１０３は、無線通信回路部１０２を通じて受信される情報を解析し、制御部１０１の制御にしたがって、システムバス１００を通じて必要な各部に転送すると共に、通信ネットワークに送出する送信情報を生成し、無線通信回路部１０２に転送する。
【００２８】
通話回路１０４は、電話音声の処理であり、受話器を構成するスピーカ１１２と送話器を構成するマイクロホン１１３が接続されている。
【００２９】
ディスプレイインターフェース１０５には、例えばＬＣＤ（Liquid  Crystal  Display）からなるディスプレイ１１４が接続される。ディスプレイ１１４の表示画面上にはタッチパネル１１５が設けられており、このタッチパネル１１５は、タッチパネルインターフェース１０６に接続されている。
【００３０】
この実施形態では、操作ボタンなどの操作入力は、このタッチパネル１１５を通じて行えるようにされており、ディスプレイ１１４の表示画面には、制御部１０１の制御にしたがって、文字入力キー操作画面や設定受付画面などが表示される。使用者は、このタッチパネル１１５に対して、指でタッチ操作したり、指でスライドさせたりする所定の振る舞いをすることにより、所定の操作入力をすることができる。
【００３１】
タッチパネルインターフェース１０６は、タッチパネル１１５を通じた使用者による操作指示入力に応じた操作検出信号を、システムバス１００を通じて制御部１０１に送出する。制御部１０１は、タッチパネルインターフェース１０６から受けた操作検出信号から、使用者により、どのような操作入力がされたかを検出し、その検出結果に応じた制御処理を行う。
【００３２】
ＧＰＳ測位部１０７は、ＧＰＳ衛星からの電波を受信して、携帯電話端末１０の現在位置を測位して検知し、その検知した現在位置データ（緯度、経度、高度）を、システムバス１００を通じて制御部１０１に転送する。
【００３３】
メモリ１０８は、携帯電話端末１０で用いられる種々のデータの格納部であり、この実施形態では、メール、ツイッター、ブログ、プロフなど用の文章の作成を支援するアプリケーションプログラムや、作成された文章の送信、投稿、アップ（ｗｅｂサイトへのアップロード）などの文章送出処理を支援するアプリケーションプログラム、その他のアプリケーションプログラムの記憶エリアであるプログラム記憶部１０８１を備える。
【００３４】
また、メモリ１０８は、この実施形態では、更に、送出先情報記憶部１０８２、テンプレート記憶部１０８３、顔画像格納部１０８４、地図サイトリンク情報格納部１０８５、なども備える。
【００３５】
送出先情報記憶部１０８２は、作成された文章の送出先情報を記憶する記憶部であり、メールアドレス、ツイッター、ブログ、プロフのＵＲＬ（uniform resource locator）が記憶されている。
【００３６】
テンプレート記憶部１０８３は、後述するように、送出する文章を簡単に作成することができるように支援するための文章作成用のテンプレートを記憶する。この例の文章作成用のテンプレートは、定型的な文章であって、場所名などの挿入語を、所定の部分に埋め込こむことによって、体裁の整った文章を簡単に作成することができるものである。
【００３７】
図３に、このテンプレート記憶部１０８３の記憶データの例を示す。この実施形態では、図３に示すように、テンプレートは、メール、ツイッター、ブログ、プロフなどの通信サービス用途を考慮して、「位置通知」「天気通知」「ランドマーク等通知」「イベント通知」「写真送付通知」などの文章用途が定められている。また、この例では、同じ文章用途のテンプレートであるが、表現態様が異なる複数のテンプレートが記憶されている。表現態様が異なるテンプレートの例としては、例えば図３の例のような標準テンプレート、方言を加味したご当地テンプレート、芸人のしゃべり方を真似た芸人風テンプレートの他、仲間内で使用する表現を用いたテンプレート、有名なキャラクタが使用する言葉で表現されるキャラクタテンプレートなどが記憶可能である。さらに、図示は省略するが、使用者がテンプレートを自作して、テンプレート記憶部１０８３に記憶するようにすることもできる。
【００３８】
図３において、テンプレートの文章中の（  ）で示した部分は、挿入語の挿入位置を示している。そして、この例では、前述したテンプレートの文章用途に応じて、挿入語が定められており、例えば文章用途が「位置通知」であれば、挿入語は場所名とされ、文章用途が「天気通知」であれば、挿入語は天気状況（気象情報）とされ、文章用途が「ランドマーク等通知」であれば、挿入語はランドマーク名とされ、文章用途が「イベント通知」であれば、挿入語はイベント名やイベント内容とされ、文章用途が「写真送付通知」であれば、挿入語は人物名などとされる。なお、この実施形態では、文章用途が「写真送付通知」である場合の挿入語の人物名は、後述する撮影画像における顔認識などにより、特定可能とされている。
【００３９】
なお、テンプレートは、メール、ツイッター、ブログ、プロフなどの通信サービス用途毎に、別々に作成しておくようにしても勿論良い。
【００４０】
顔画像格納部１０８４は、この実施形態の携帯電話端末１０の顔認識機能用の顔画像と人物名との対応情報を格納している。使用者は、予め、携帯電話端末１０に対して、顔認識により認識したい人物の顔画像と、その人物名との対応情報を、登録して、顔画像格納部１０８４に記憶しておくようにする。
【００４１】
そして、特に、この実施形態では、特定の人物の顔画像については、自動送り先と、登録された文章とが、さらに対応付けられて登録されている。これにより、この実施形態の携帯電話端末１０は、特定の人物の顔画像が含まれている写真を、予め登録した送出先に、対応する文章を付加して送ることができる。例えば、子供の顔画像と名前を登録すると共に、自動送り先として祖父母のメールアドレスと、孫の写真を送る旨の文章を登録しておくことにより、子供の写真を撮ったときには、祖父母に、文章を作成する手間なく、その写真と文章を送ることができる。
【００４２】
地図サイトリンク情報格納部１０８５は、この実施形態においては、送出する文章や写真に対して付加する地図サイトのＵＲＬを格納する。
【００４３】
時計回路部１０９は、カレンダ機能を備える日時情報の発生部である。この実施形態では、制御部１０１は、文章作成送出処理において、必要に応じて、この時計回路部１０９からの日時情報を参照して、文章作成日時を認識するようにする。
【００４４】
顔画像認識部１１０は、後述するように、文章作成送出用のアプリケーションが起動されているときには、その時点で使用者により携帯電話端末１０に取り込まれた写真の画像情報について、メモリ１０８の顔画像格納部１０８４に格納されている顔画像を用いて顔認識し、認識できた顔画像があったときには、その認識できた顔画像に対応する人物名を認識結果としてシステムバス１００を通じて出力する。
【００４５】
カメラ部１１１は、使用者からの操作指示に応じた制御部１０１からの制御を受けて、撮影した被写体の撮影画像情報をシステムバス１００に送出する。システムバス１００に送出された撮影画像情報は、メモリ１０８の一時記憶エリア（図示は省略）に記憶され、この実施形態では、顔画像認識部１１０における顔認識対象とされる。
【００４６】
そして、この実施形態では、文章作成送出用のアプリケーションは、後述するように、携帯電話端末１０の現在位置の位置情報及び当該位置に紐付いた画像情報を、予め定められたＷｅｂサイトの情報提供サーバから取得して、後述するように文章の自動作成に用いるようにする。
【００４７】
この実施形態では、携帯電話端末１０は、使用者がカメラ部１１１を用いて自分で撮影した写真の撮影画像情報を、上記情報提供サーバにアップして、自分の識別情報と対応付けて格納させておくことができるように構成されている。すなわち、携帯電話端末１０のメモリ１０８のプログラム記憶部１０８１には、前記情報提供サーバにアクセスして、カメラ部１１１により撮影された写真の撮影画像情報を格納保持させるようにするためのアプリケーションプログラムが格納されている。
【００４８】
この場合に、情報提供サーバに送る写真の撮影画像情報には、使用者の識別情報の他、少なくとも時計回路部１０９から取得した撮影時刻の情報と、ＧＰＳ測位部１０７から取得した撮影場所とを含む、いわゆるＥｘｉｆ（Exchangeable  Image  File  Format  for  digital  still  cameras）情報と呼ばれる付加情報が付加されている。また、使用者が公開を許可する写真の撮影画像情報には、その旨を示す公開フラグが付加される。
【００４９】
［文章作成送出装置としての構成部分の説明］
次に、以上のような構成を備える携帯電話端末１０における、この実施形態の文章作成送出装置としての構成部分の例を図１に示す。この図１においては、制御部１０１が上述の文章作成送出処理用の支援アプリケーションプログラムを用いて処理を行う部分は、その処理機能を機能ブロックとして示している。
【００５０】
図１に示すように、この実施形態の携帯電話端末１０は、無線通信回路部１０２を用いて、携帯電話網およびインターネットを含む通信ネットワーク２０に接続するようにされる。この通信ネットワーク２０には、例えばツイッターサイト（ｗｅｂサイト）２１、ブログサイト（ｗｅｂサイト）２２、の他、気象情報の提供サイト２３や、位置情報等提供サイト２４、その他の種々の情報の提供を行う種々のｗｅｂサイト２５，２６等が接続されている。
【００５１】
位置情報等提供サイト２４は、上述した情報提供サーバを備え、携帯電話端末１０からの現在位置データ及び使用者の識別情報を含む情報取得要求を受けると、当該現在位置を示す位置情報及びその位置に関連する情報と共に、その位置に紐付けられて登録されて格納されている画像情報を提供する。
【００５２】
図６に、この位置情報等提供サイト２４が備える情報提供サーバ２０Ｓのハードウエア構成例を示す。
【００５３】
すなわち、情報提供サーバ２０Ｓは、図６に示すように、コンピュータで構成される制御部２０１が、システムバス２００を通じて、通信インターフェース２０２、受信情報処理部２０３、送信情報処理部２０４、位置情報データベース２０５、画像情報格納部２０６、のそれぞれと接続されて構成されている。
【００５４】
制御部２０１は、情報提供サーバ２０Ｓでの各種処理を制御する。通信インターフェース２０２は通信ネットワーク２０に接続されて、この通信ネットワーク２０を通じた情報の送受を行う。受信情報処理部２０３は、通信インターフェース２０２を通じて受信される情報取得要求などを受信して解析し、その解析結果に応じた制御部１０１の制御にしたがって、システムバス１００を通じて必要な各部に転送する。また、送信情報生成部２０４は、情報取得要求に応じて送信する情報を生成する。
【００５５】
位置情報データベース２０５は、位置データ（緯度、経度）と、当該位置データに対応する場所名などの位置情報と、その位置に関連する情報とを、互いに対応付けて格納している。また、画像情報格納部２０６は、前述したように、通信ネットワーク２０を通じて送られてくる撮影画像情報を、使用者の識別情報及びＥｘｉｆ情報と共に格納する。
【００５６】
図７に、画像情報格納部２０６の格納情報の例を示す。この図７において、ＩＤａ，ＩＤｂ，・・・は、撮影画像情報を送ってきた使用者の識別情報である。この識別情報Ｉｄａ，ＩＤｂ，・・・のそれぞれに対応付けられて、撮影画像データが格納されたファイルＦＡ、ファイルＦＢ、・・・及び各撮影画像のＥｘｉｆ情報が格納されると共に、各撮影画像について、他者への公開を許可するか否かの公開フラグ情報が格納されている。
【００５７】
次に、図１において、携帯電話端末１０における文章作成送出装置としての構成部分は、機能ブロックとして示しており、発信手段１２１と、操作入力受付手段１２２と、文章作成手段１２３と、ネットワーク情報収集手段１２４、文章作成送出制御手段１２５等からなる。文章作成送出制御手段１２５に対しては、メモリ１０８の送出先情報記憶部１０８２と、テンプレート記憶部１０８３と、顔画像格納部１０８４と、地図サイトリンク情報格納部１０８５とが接続される。さらに、文章作成送出制御手段１２５に対しては、現在位置測位手段としてのＧＰＳ測位部１０７と、ディスプレイ１１４及びディスプレイインターフェース１０５とからなる表示部１２６と、顔画像認識部１１０及びカメラ部１１１とが接続される。
【００５８】
発信手段１２１は、文章作成送出制御手段１２５からの発信指示に基づいて、これに供給される文章や撮影画像情報を、通信ネットワーク２０を通じて、ツイッターサイト２１、ブログサイト（ｗｅｂサイト）２２などに宛てて発信したり、電子メールの発信をしたりする機能を備える。
【００５９】
操作入力受付手段１２２は、タッチパネル１１３と、タッチパネルインターフェース１０６と、制御部１０１の操作入力受付処理のソフトウエア機能部とで構成される。操作入力受付手段１２２は、使用者により入力される情報を受け付けて、その受け付けた情報を、文章作成送出制御手段１２５に供給する。
【００６０】
文章作成手段１２３、ネットワーク情報収集手段１２４及び文章作成送出制御手段１２５は、文章作成送出処理を支援するアプリケーションプログラムを制御部１０１が実行することにより構成される。この文章作成送出処理を支援するアプリケーションプログラムは、例えば、携帯電話端末１０の使用者が、通信ネットワーク２０に接続されている所定のｗｅｂサイトから携帯電話端末１０にダウンロードして取得する。なお、この文章作成送出処理を支援するアプリケーションプログラムは、カード型メモリなどのリムーバル記憶メディアに格納されているものを、携帯電話端末１０にインストールするようにしても良いし、パーソナルコンピュータ経由で、携帯電話端末１０にインストールするようにしても良い。
【００６１】
文章作成送出手段１２３は、文章作成送出制御手段１２５からの生成指示に基づいて、かつ、文章作成送出制御手段１２５から供給される情報に基づいて、ツイッターサイト２１にアップしたり、電子メールとして送出したりする文章を生成し、生成した文章の情報を発信手段１２１に供給する機能を備える。後述するように、文章作成手段１２３は、文章作成送出制御手段１２５から供給される制御指示に応じて、テンプレート記憶部１０８３に記憶されているテンプレートを用いると共に、ネットワーク情報収集手段１２４で収集した情報や顔画像認識部１１０での顔認識結果の情報を用いて文章を作成する。
【００６２】
ネットワーク情報収集手段１２４は、文章作成送出制御手段１２５の制御に基づいて、現在位置測位部１２６を構成するＧＰＳ測位部１０７で測位した現在位置データを用いて、通信ネットワーク２０を通じて位置情報等提供サイト２４の情報提供サーバ２４Ｓにアクセスし、現在位置の場所名や、当該現在位置に関連する情報、例えばイベント情報やランドマークなどの情報、さらに、現在位置に紐付いた撮影画像情報を取得して、文章作成送出制御手段１２５に供給する。また、ネットワーク情報収集手段１２４は、文章作成送出制御手段１２５の制御に基づいて、気象情報の提供サイトにアクセスし、現在位置の気象情報を取得して、文章作成送出制御手段１２５に供給する。
【００６３】
この実施形態の携帯電話端末１０のディスプレイ１１４の表示画面１１４Ｄには、図５（Ａ）に示すように、種々のアプリケーション起動用アイコンが表示されるアプリケーション一覧メニュー画面が表示される。そして、このアプリケーション一覧メニュー画面から、文章作成送出支援アプリケーション起動用のアイコンＩａがタッチされると、制御部１０１は、メモリ１０８のプログラム記憶部１０８１から文章作成送出支援アプリケーションプログラムを読み出して起動する。
【００６４】
なお、図５（Ａ）に示すように、この実施形態の携帯電話端末１０では、アプリケーション一覧メニュー画面には、「撮影画像ＵＰ」のアプリケーション起動用のアイコンＩｂが表示されており、使用者が、このアイコンＩｂをタッチして、「撮影画像ＵＰ」のアプリケーションを立ち上げ、撮影画像を情報提供サーバ２４Ｓに送出して格納させるようにすることができる。
【００６５】
そして、アイコンＩａが使用者によりタッチされて、文章作成送出支援アプリケーションプログラムが起動されると、ディスプレイ１１４の画面１１４Ｄには、図５（Ｂ）に示すように、文章作成送出支援アプリケーションの初期画面として、文章作成送出機能開始のトリガとなる情報取得方法が表示される。この実施形態では、「現在位置の位置情報及び画像情報を取得する」と、「カメラ撮影をする」との２種類の情報取得方法が表示される。使用者が、いずれかの情報取得方法を選択すると、文章作成送出支援アプリケーションは、以下に説明するように、使用者による文字入力の手間なく、簡単に文章を作成して、その作成した文章を所定の送出先に送出する。
【００６６】
すなわち、この実施形態の携帯電話端末１０においては、使用者が、文章作成送出支援アプリケーションを立ち上げ、面白いことやチョットした事象があったと感じたときに、「現在位置の位置情報及び画像情報を取得する」あるいは「カメラ撮影をする」のいずれかの情報取得方法を選択することにより、使用者による文字入力の手間なく、簡単に文章を作成して、その作成した文章を所定の送出先に送出することができる。
【００６７】
以下、この実施形態の携帯電話端末１０における文章作成送出支援アプリケーションプログラムの処理動作の流れの一例を説明する。
【００６８】
図８〜図１１は、文章作成送出支援アプリケーションプログラムの処理動作の流れの一例を説明するためのフローチャートであり、また、図１２〜図１５は、当該処理動作に伴う携帯電話端末１０のディスプレイ１１４の表示画面１１４Ｄの表示内容の変化の例を示す図である。これら図８〜図１５を参照しながら、文章作成送出支援アプリケーションプログラムの処理動作の流れを説明する。
【００６９】
携帯電話端末１０の制御部１０１は、図５のメニュー一覧において、使用者により文章作成送出のアイコンＩａがタッチされたことを、タッチパネル１１５を通じて検知すると、メモリ１０８から、文章作成送出支援アプリケーションプログラムを読み出して起動する。これにより、制御部１０１は、文章作成送出制御手段１２５としての動作を、図８の「文書作成送出アプリスタート」から開始する。
【００７０】
文章作成送出制御手段（以下、制御手段と略称する）１２５は、先ず、前述の図５（Ｂ）に示したように、表示部１２７、すなわち、ディスプレイ１１４の表示画面１１４Ｄに、「現在位置の位置情報の取得する」と、「カメラ撮影をする」との２種類の情報取得方法を表示する（ステップＳ１）。
【００７１】
そして、制御手段１２５は、「現在位置の位置情報及び画像情報を取得する」が選択されて、現在位置の位置情報の取得要求がされたか否か判別する（ステップＳ２）。このステップＳ２で、現在位置の位置情報及び画像情報の取得要求がなされたと判別したときには、制御手段１２５は、ＧＰＳ測位部１０７で測位された現在位置データを取得する（ステップＳ３）。そして、制御手段１２５は、ネットワーク情報収集手段１２４により、通信ネットワーク２０を通じてＷｅｂサイト２４の情報提供サーバ２４Ｓに情報取得要求をさせ、この情報提供サーバ２４Ｓから取得した情報をディスプレイ１１４の表示画面１１４Ｄに表示する（ステップＳ４）。
【００７２】
この場合に、ネットワーク情報収集手段１２４は、制御手段１２５の制御の下に、ＧＰＳ測位部１０７から取得した現在位置データと使用者の識別情報を情報取得要求に含めて、情報提供サーバ２４Ｓに送る。
【００７３】
図６に示した情報提供サーバ２４Ｓの制御部２０１は、この情報取得要求を受け取ると、位置情報データベース２０５から、情報取得要求に含まれる現在位置データで示される現在位置の場所名などの位置情報と、その現在位置に関連する情報を読み出して、送信情報生成部２０４に転送する。また、制御部２０１は、画像情報格納部２０６の記憶情報を参照して、情報取得要求に含まれている現在位置データと使用者の識別情報とに対応付けられて記憶されている撮像画像情報を検索する。この検索の結果、現在位置データと使用者の識別情報とに紐付けられて記憶されている撮像画像情報が検出できたときには、制御部２０１は、その撮像画像情報を送信情報生成部２０４に転送する。
【００７４】
なお、情報取得要求に、使用者の識別情報として、情報提供サーバ２４Ｓにアクセスする携帯電話端末１０の使用者のみでなく、同伴者の識別情報を含めることができるようにしても良い。その場合には、携帯電話端末１０の使用者のみではなく、同伴者が、情報提供サーバ２４Ｓにアップして自分の識別情報に対応付けて画像情報格納部２０６に格納されている撮像画像情報も、検索抽出の対象とすることができ、便利である。
【００７５】
また、画像情報格納部２０６の記憶情報についての検索の結果、現在位置データと使用者の識別情報とに紐付けられて記憶されている撮像画像情報が検出できなかったときには、制御部２０１は、公開フラグにより公開が許可されている撮像画像情報のうち、現在位置データと紐付けられている撮像画像データを、画像情報格納部２０６から検索して抽出し、その抽出した撮影画像情報を送信情報生成部２０４に転送する。
【００７６】
送信情報生成部２０４は、これに転送されてきた位置情報及び位置に関連する情報、さらに、撮像画像情報を、情報取得要求に対する回答として、携帯電話端末１０に通信ネットワークを通じて送る。
【００７７】
以上のようにして、携帯電話端末１０の制御部１０１は、情報提供サーバ２４Ｓから、現在位置の場所名などの位置情報及びその現在位置に関連する情報、さらにはその現在位置に紐付けられている撮像画像情報を取得し、その取得した情報を、ディスプレイ１１４の表示画面１１４Ｄに表示する。
【００７８】
このときの表示画面１１４Ｄの表示例を図１２（Ａ）に示す。すなわち、表示画面１１４Ｄには、現在位置が何処であるかを示す場所名などが表示欄２０１に表示されると共に、当該現在位置に関連する情報が表示欄２０２に表示される。また、表示画面１１４Ｄには、現在位置に紐付けられた撮像画像が、画像表示欄２０９に表示される。さらに、表示画面１１４Ｄには、送信する文章の作成をするか否かの問い合わせメッセージと、その問い合わせメッセージに対する回答手段として、「ＹＥＳ」アイコン２０３と、「ＮＯ」アイコン２０４とが表示される。
【００７９】
使用者は、表示画面１１４Ｄに表示された撮像画像と、位置情報及び関連する情報を見て、所定の宛先に、その撮像画像を何等かの文章のコメントを付けて送信するかどうかを決定し、送信しようとする場合には、「ＹＥＳ」アイコン２０３を操作し、そうでない場合には「ＮＯ」アイコン２０４を操作する。
【００８０】
制御手段１２５は、操作入力受付手段１２２からの操作入力情報を監視して、この表示画面１１４Ｄにおける送信する文章の作成をするか否かの問い合わせメッセージに対する使用者の回答操作として文章の作成指示があったか否か判別する（ステップＳ５）。
【００８１】
そして、このステップＳ５で、使用者により「ＮＯ」アイコン２０４が操作されて文章の作成指示がなされなかったと判別したときには、制御手段１２５は、図示は省略するが、当該文書作成送出支援アプリケーションを終了するか否かを問い合わせる画面を表示画面１１４Ｄに表示し、その画面を通じて使用者により当該アプリケーションの終了指示がなされたか否か判別する（図９のステップＳ１６）。
【００８２】
そして、制御手段１２５は、ステップＳ１６で、文書作成送出支援アプリケーションの終了指示があったと判別したときには、当該アプリケーションの終了処理をして（ステップＳ１７）、この処理ルーチンを終了する。また、ステップＳ１６で、文書作成送出支援アプリケーションの終了指示がなかったときには、制御手段１２５は、処理をステップＳ１に戻し、このステップＳ１以降の処理を繰り返す。
【００８３】
また、ステップＳ５で、使用者により「ＹＥＳ」アイコン２０３が操作されて文章の作成指示がなされたと判別したときには、制御手段１２５は、作成する文章の通信サービス用途の選択を促す画面を表示し、その選択を受け付けるようにする（ステップＳ６）。
【００８４】
このときの表示画面１１４Ｄの表示例を図１２（Ｂ）に示す。すなわち、表示画面１１４Ｄには、「メール」、「ツイート」、「プロフ」、などの通信サービス文章用途の一覧リストが、表示欄２０５に表示される。使用者は、この表示欄２０５の一覧リスト中のいずれかの通信サービス用途の文字列上をタッチ操作することにより、通信サービス用途の選択ができる。
【００８５】
ステップＳ６で通信サービス用途の選択を受け付けると、制御手段１２５は、次に、テンプレート記憶部１０８３に記憶されている文章作成用のテンプレートのリストを表示画面１１４Ｄに表示して、使用するテンプレートの選択を受け付けるようにする（ステップＳ７）。
【００８６】
このときの表示画面１１４Ｄの表示例を図１２（Ｃ）に示す。すなわち、表示画面１１４Ｄには、各テンプレートの文章用途と共に、それぞれのテンプレートの（  ）付きの文章が、一覧リストが表示される。使用者は、このテンプレートの一覧リストのうちの、いずれかのテンプレートの文章上をタッチ操作することにより、使用するテンプレートの選択ができる。
【００８７】
ステップＳ７で、使用するテンプレートの選択を受け付けると、制御手段１２５は、選択されたテンプレートの文章用途を参照して、現在取得している情報の他に取得する必要がある情報があるか否か判別する（図９のステップＳ１１）。すなわち、例えば、制御手段１２５は、文章用途が「位置通知」であれば、既に位置情報は取得しているので、新たに情報を取得する必要はないが、「天気通知」の場合には、当該現在位置の気象情報を取得する必要があり、また、「イベント通知」の場合には、当該現在位置に関連するイベントの情報を取得する必要があると言うように判断する。また、「イベント通知」の場合には、所定のｗｅｂサイトに混雑状況の問い合わせをして、混雑しているかどうかの情報をも取得するようにしても良い。
【００８８】
ステップＳ１１で、他に取得する必要がある情報があると判別したときには、制御手段１２５は、その取得する必要がある情報を、ネットワーク情報収集手段１２４を通じて取得する（ステップＳ１２）。そして、制御手段１２５は、文章作成手段１２３に指示して文章の作成を実行させる。文章作成手段１２３は、ステップＳ７で選択されたテンプレートと、取得した位置情報及びその位置情報に関連する情報を用いて文章を作成し、その作成した文章を表示画面１１４Ｄに表示する（ステップＳ１３）。
【００８９】
ステップＳ１１で、他に取得する必要がある情報はないと判別したときには、制御手段１２５は、ステップＳ１２をバイパスして、ステップＳ１３に進み、ステップＳ７で選択されたテンプレートと、取得した位置情報、関連する情報を用いて文章を作成し、その作成した文章を表示画面１１４Ｄに表示する。
【００９０】
このとき作成される文章の例を図１３に示す。図１３（Ａ）は、ステップＳ７で「位置通知」のテンプレートが選択された場合に作成された文章の例である。これはツイッターで使用されることが多い。この例の場合、図１２（Ａ）に示したように、現在位置は「墨田区の押上駅」とされていたので、（  ）内には、その現在位置の場所名が挿入されて、「今、墨田区の押上駅にいます。」という文章が、文章作成手段１２３により自動的に作成され、表示画面１１４Ｄの表示欄２０６に表示されている。
【００９１】
また、図１３（Ｂ）は、ステップＳ７で「天気通知」のテンプレートが選択された場合に作成された文章の例で、このときには、制御手段１２５は、ネットワーク情報収集手段１２４により、現在位置データを用いて現在位置の気象情報を取得して、文章作成手段１２３での文章の作成に用いることができるようにする。図１３（Ｂ）の例では、取得した気象情報は「雨」であり、現在位置は「墨田区の押上駅」であるので、「今、墨田区の押上駅は雨です。」という文章が、文章作成手段１２３により自動的に作成され、表示画面１１４Ｄの表示欄２０６に表示されている。
【００９２】
また、図１３（Ｃ）は、ステップＳ７で「ランドマーク通知」のテンプレートが選択された場合に作成された文章の例である。この例の場合、図１２（Ａ）に示したように、現在位置として位置情報「墨田区の押上駅」が取得され、また、関連する情報として、「押上駅の近くにはスカイツリーがあります。・・・」というようにランドマーク「スカイツリー」が取得されていたので、テンプレートの（  ）内には、その現在位置の場所名と、ランドマークとがそれぞれ挿入されて、「今日は、スカイツリーがある墨田区の押上駅に来ました。」という文章が、文章作成手段１２３により自動的に作成され、表示画面１１４Ｄの表示欄２０６に表示されている。
【００９３】
図１３（Ａ）〜（Ｃ）に示すように、ステップＳ１３で表示画面１１４Ｄに表示される表示情報としては、表示欄２０９の撮像画像と作成された文章の表示欄２０６とに加えて、当該表示欄２０６に表示された文章の送信を実行するための送信アイコン２０７と、表示欄２０６に表示された文章の送信を中止するための中止アイコン２０８とが表示される。使用者は、図１３の表示画面１１４Ｄにおいては、送信アイコン２０７をタップして送信を実行するか、中止アイコン２０８をタップして送信を中止するか、いずれかの操作を行う。
【００９４】
そこで、ステップＳ１３の次には、制御手段１２５は、送信アイコン２０７と、中止アイコン２０８のいずれがタップされたかを、操作入力受付手段１２２を通じて判別する（ステップＳ１４）。
【００９５】
このステップＳ１４で、中止アイコン２０８がタップされたと判別したときには、制御手段１２５は、処理をステップＳ１６に進め、使用者により当該アプリケーションの終了指示がなされたか否か判別する。そして、制御手段１２５は、ステップＳ１６で、文書作成送出支援アプリケーションの終了指示があったと判別したときには、当該アプリケーションの終了処理をして（ステップＳ１７）、この処理ルーチンを終了する。また、ステップＳ１６で、文書作成送出支援アプリケーションの終了指示がなかったときには、制御手段１２５は、処理をステップＳ１に戻し、このステップＳ１以降の処理を繰り返す。
【００９６】
また、ステップＳ１４で、送信アイコン２０７がタップされたと判別したときには、制御手段１２５は、ステップＳ６で選択された通信サービス用途に基づいて、送信先情報記憶部１０８２から送信先情報を読み出して、その読み出した送信先情報で示される相手先に、作成された文章と表示欄２０９に表示されている撮像画像の画像情報とを合わせて送信する（ステップＳ１５）。この際に、制御手段１２５は、地図サイトリンク情報格納部１０８５に格納されている地図サイトのＵＲＬと、地図を取得する際の中心位置となる現在位置データとを、送出する文章に付加するようにする。
【００９７】
そして、次に、制御手段１２５は、処理をステップＳ１６に進め、使用者により当該アプリケーションの終了指示がなされたか否か判別する。そして、制御手段１２５は、ステップＳ１６で、文書作成送出支援アプリケーションの終了指示があったと判別したときには、当該アプリケーションの終了処理をして（ステップＳ１７）、この処理ルーチンを終了する。また、ステップＳ１６で、文書作成送出支援アプリケーションの終了指示がなかったときには、制御手段１２５は、処理をステップＳ１に戻し、このステップＳ１以降の処理を繰り返す。
【００９８】
また、図８のステップＳ２で「現在位置の位置情報及び画像情報を取得する」は選択されていないと判別したときには、制御手段１２５は、「カメラ撮影をする」が選択されたか否か判別する（ステップＳ８）。このステップＳ８で「カメラ撮影をする」が選択されてはいないと判別したときには、制御手段１２５は、処理をステップＳ１に戻し、このステップＳ１以降の処理を繰り返す。
【００９９】
ステップＳ８で、「カメラ撮影をする」が選択されたと判別したときには、制御手段は、携帯電話端末１０をカメラ部１１１による撮影を行う撮影モードにして（ステップＳ９）、写真撮影が実行されるのを待つ（ステップＳ１０）。そして、ステップＳ１０で写真撮影が実行されたと判別したときには、制御手段１２５は、撮影画像を表示画面１１４Ｄに表示すると共に、ＧＰＳ測位部１０７から現在位置のデータを撮影位置データとして取得し、また、時計回路部１０９から撮影年月日及び時刻を取得する（図１０のステップＳ２１）。
【０１００】
このときの表示画面１１４Ｄでの表示例を図１４（Ａ）に示す。すなわち、表示画面１１４Ｄには、撮影画像が表示欄２０９に表示されると共に、写真を送信等するか否かの問い合わせメッセージと、その問い合わせメッセージに対する回答手段として、「ＹＥＳ」アイコン２１０と、「ＮＯ」アイコン２１１とが表示される。
【０１０１】
制御手段１２５は、操作入力受付手段１２２からの操作入力情報を監視して、この表示画面１１４Ｄにおける写真を送信等するか否かの問い合わせメッセージに対する使用者の回答操作として写真を送信等するか否か判別する（ステップＳ２２）。このステップＳ２２で、使用者により「ＮＯ」アイコン２１１が操作されて写真の送信等の指示がなされなかったと判別したときには、制御手段１２５は、通常の撮影画像の処理ルーチンへ以降するように制御する（ステップＳ２３）。
【０１０２】
また、ステップＳ２２で、使用者により「ＹＥＳ」アイコン２１０が操作されて写真を送信する指示がなされたと判別したときには、制御手段１２５は、顔画像認識部１１０を制御して、撮影画像についての顔認識処理を行なわせる（ステップＳ２４）。顔画像認識部１１０は、この制御指示を受けて、撮影画像中で、顔画像格納部１０８４に格納されている顔画像を認識したか否かを判断し、顔画像格納部１０８４に格納されている顔画像を認識しなかったと判断したときには、その旨を制御手段１２５に返し、また、顔画像格納部１０８４に格納されている顔画像を認識したときには、顔画像格納部１０８４に格納されているその認識した顔画像に対応する人物名を制御手段１２５に返す。
【０１０３】
制御手段１２５は、顔画像認識部１１０からの認識結果の回答を受けて、撮影画像中に、認識された顔画像があるか否か判別し（ステップＳ２５）、認識された顔画像があれば、その人物名を表示画面１１４Ｄに表示する（ステップＳ２６）。そして、制御手段１２５は、顔画像格納部１０８４の格納情報を参照して、認識された顔画像に対応して自動送信先が設定されているか否か判別する（ステップＳ２７）。
【０１０４】
そして、このステップＳ２７で、認識された顔画像に対応した自動送信先は設定されていないと判別したときには、制御手段１２５は、ネットワーク情報収集手段１２４を制御し、ステップＳ２１で取得した撮影位置データを用いて、通信ネットワーク２０を通じて位置情報の提供サイトにアクセスさせて、撮影位置の位置情報及び関連する情報を取得し、その取得した情報を、ディスプレイ１１４の表示画面１１４Ｄに表示する（ステップＳ２８）。
【０１０５】
このときの表示画面１１４Ｄの表示例を図１４（Ｂ）に示す。すなわち、表示画面１１４Ｄにおいては、表示欄２０９に撮影画像が表示されると共に、その下方の表示欄２１２に、顔認識された人物名が表示される。更に、表示画面１１４Ｄには、現在位置が何処であるかを示す場所名などの表示欄２１３が表示されると共に、当該現在位置に関連する情報が表示欄２１４に表示される。また、表示画面１１４Ｄには、送信する文章の作成をするか否かの問い合わせメッセージと、その問い合わせメッセージに対する回答手段として、「ＹＥＳ」アイコン２１５と、「ＮＯ」アイコン２１６とが表示される。
【０１０６】
ステップＳ２５で、認識された顔画像はないと判別したときには、制御手段１２５は、ステップＳ２６及びステップＳ２７を介さずにステップＳ２８に進む。このときの表示画面１１４Ｄの表示画像は、図１４（Ｂ）において、認識された顔画像の人物名の表示欄２１２が表示されない状態となる。
【０１０７】
次に、ステップＳ２７で、認識された顔画像に対応した自動送信先が設定されていると判別したときには、制御手段１２５は、表示画面１１４Ｄに、表示されている人物名についての自動送信先が設定されていることを報知するメッセージと、自動送信するか否かの問い合わせメッセージを表示して、使用者に自動送信を実行するか否かを促す（ステップＳ２９）。
【０１０８】
このときの表示画面１１４Ｄの表示例を図１４（Ｃ）に示す。すなわち、表示画面１１４Ｄにおいては、表示欄２０９に撮影画像が表示されると共に、その下方の表示欄２１２に、顔認識された人物名が表示される。また、表示画面１１４Ｄには、表示欄２１２に表示されている人物名についての自動送信先が設定されていることを報知すると共に、自動送信するか否かを問い合わせるメッセージが表示される。更に、その問い合わせメッセージに対する回答手段として、「ＹＥＳ」アイコン２１７と、「ＮＯ」アイコン２１８とが表示される。
【０１０９】
制御手段１２５は、その問い合わせメッセージに対する回答手段として、使用者によって「ＹＥＳ」アイコン２１７がタッチされることによる自動送信実行指示がなされたか否か判別し（ステップＳ３０）、自動送信実行指示がなされたと判別したときには、撮影画像と、顔画像格納部１０８４に記憶されている文章とを、記憶されている送信先に送出する（ステップＳ３１）。そして、制御手段１２５は、処理をステップＳ１６に進め、このステップＳ１６以降の処理を繰り返す。
【０１１０】
また、ステップＳ３０で、「ＮＯ」アイコン２１８が使用者によりタッチされることによる、自動送信の実行はしないとの指示を受けたと判別したときには、制御手段１２５は、処理をステップＳ２８に進める。
【０１１１】
ステップＳ２８の次には、制御手段１２５は、操作入力受付手段１２２からの操作入力情報を監視して、図１４（Ｂ）に示した表示画面１１４Ｄにおける送信する文章の作成をするか否かの問い合わせメッセージに対する使用者の回答操作として文章の作成指示があったか否か判別する（ステップＳ３２）。
【０１１２】
このステップＳ３２で、使用者により「ＮＯ」アイコン２１６が操作されて文章の作成指示がなされなかったと判別したときには、制御手段１２５は、処理をステップＳ１６に進め、ステップＳ１６以降の処理を実行する。
【０１１３】
また、ステップＳ３２で、使用者により「ＹＥＳ」アイコン２１５が操作されて文章の作成指示がなされたと判別したときには、制御手段１２５は、作成する文章の通信サービス用途の選択を促す画面（図１２（Ｂ）参照）を表示し、その選択を受け付けるようにする（図１１のステップＳ４１）。
【０１１４】
ステップＳ４１で通信サービス用途の選択を受け付けると、制御手段１２５は、次に、テンプレート記憶部１０８３に記憶されている文章作成用のテンプレートのリストを表示画面１１４Ｄに表示して（図１２（Ｃ）参照）、使用するテンプレートの選択を受け付けるようにする（ステップＳ４２）。
【０１１５】
ステップＳ４２で、使用するテンプレートの選択を受け付けると、制御手段１２５は、選択されたテンプレートの文章用途を参照して、現在取得している情報の他に取得する必要がある情報があるか否か判別する（ステップＳ４３）。
【０１１６】
ステップＳ４３で、他に取得する必要がある情報があると判別したときには、制御手段１２５は、その取得する必要がある情報を、ネットワーク情報収集手段１２４を通じて取得する（ステップＳ４４）。そして、制御手段１２５は、文章作成手段１２３に指示して文章の作成を実行させる。文章作成手段１２３は、ステップＳ４２で選択されたテンプレートと、取得した位置情報、関連する情報及びその他の情報を用いて文章を作成し、その作成した文章を表示画面１１４Ｄに表示する（ステップＳ４５）。
【０１１７】
ステップＳ４３で、他に取得する必要がある情報はないと判別したときには、制御手段１２５は、ステップＳ４４をバイパスして、ステップＳ４５に進み、ステップＳ４２で選択されたテンプレートと、取得した位置情報、関連する情報を用いて文章を作成し、その作成した文章を表示画面１１４Ｄに表示する。
【０１１８】
このときの表示画面１１４Ｄの表示例を図１５に示す。図１５（Ａ）は、撮影画像について顔認識された人物が認識されて、図１４（Ｂ）に示すように、表示欄２１２にその人物名が表示されていると共に、表示欄２１３に現在位置の場所名が表示されている状態において、ステップＳ４２で「写真送付通知」のテンプレートが選択された場合に作成された文章の例である。この例の場合、図１４（Ｂ）に示したように、現在位置は「渋谷」とされていたので、場所名を挿入する（  ）内には、その現在位置の場所名「渋谷」が挿入されると共に、人物名を挿入する（  ）内には、「Ａさんと自分」が挿入されて、「渋谷でＡさんと自分を撮った写真を送るね。」という文章が、文章作成手段１２３により自動的に作成され、表示画面１１４Ｄの表示欄２１９に表示されている。
【０１１９】
また、図１５（Ｂ）は、撮影画像について顔認識された人物が認識されて、図１４（Ｂ）に示すように、表示欄２１２に撮影画像について顔認識された人物の人物名が表示されていると共に、表示欄２１３に現在位置の場所名が表示され、更に、表示欄２１４に現在位置に関連する情報が表示されている状態において、ステップＳ４２で「ランドマーク通知」のテンプレートが選択された場合に作成された文章の例である。
【０１２０】
この例の場合、図１４（Ｂ）に示したように、現在位置として位置情報「渋谷」が取得され、また、関連する情報として、「渋谷駅の近くには１０９があります。・・・」というようにランドマーク「１０９」が取得されていたので、テンプレートの（  ）内には、その現在位置の場所名と、ランドマークとがそれぞれ挿入されて、「今日は、１０９がある渋谷駅に来ました。」という文章が、文章作成手段１２３により自動的に作成され、表示画面１１４Ｄの表示欄２１９に表示される。
【０１２１】
図１５（Ａ）、（Ｂ）に示すように、ステップＳ４５で表示画面１１４Ｄに表示される表示情報としては、表示欄２０９に表示される撮影画像と、表示欄２１９に表示される作成された文章に加えて、表示欄２０９に表示される撮影画像と表示欄２１９に表示された文章の送信を実行するための送信アイコン２２０と、それらの送信を中止するための中止アイコン２２１とが表示される。使用者は、図１５の表示画面１１４Ｄにおいては、送信アイコン２２０をタップして送信を実行するか、中止アイコン２２１をタップして送信を中止するか、いずれかの操作を行う。
【０１２２】
制御手段１２５は、ステップＳ４５の次には、送信アイコン２２０と、中止アイコン２２１のいずれがタップされたかを、操作入力受付手段１２２を通じて判別する（ステップＳ４６）。
【０１２３】
このステップＳ４６で、中止アイコン２２１がタップされたと判別したときには、制御手段１２５は、処理をステップＳ１６に進め、このステップＳ１６以降の処理を繰り返す。
【０１２４】
また、ステップＳ４６で、送信アイコン２２０がタップされたと判別したときには、制御手段１２５は、ステップＳ４１で選択された通信サービス用途に基づいて、送信先情報記憶部１０８２から送信先情報を読み出して、その読み出した送信先情報に基づいて、撮影画像情報と、作成された文章との送信を実行する（ステップＳ４７）。この際に、制御手段１２５は、地図サイトリンク情報格納部１０８５に格納されている地図サイトのＵＲＬと、地図を取得する際の中心位置となる現在位置データとを、送出する文章に付加するようにする。そして、次に、制御手段１２５は、処理をステップＳ１６に進め、このステップＳ１６以降の処理を繰り返す。
【０１２５】
以上説明したようにして、実施形態の携帯電話端末の使用者は、文章作成送出支援アプリケーションを立ち上げ、面白いことやチョットした事象があったときに、その場所の位置情報及びその位置に紐付けられた撮像画像情報を取得し、その位置情報及び撮像画像情報が良さそうな情報であったら、テンプレートを利用して文章を作成することで、文字入力の手間なく、その作成した文章を送信、投稿、アップすることができる。
【０１２６】
また、同様に、携帯電話端末の使用者は、文章作成送出支援アプリケーションを立ち上げ、面白いことやチョットした事象があったときに、写真撮影をすることで撮影画像情報を取得し、その撮影画像情報が良さそうな情報であったら、テンプレートを利用して文章を作成することで、文字入力の手間なく、その作成した文章を送信、投稿、アップすることができる。
【０１２７】
また、上述の実施形態では、顔画像に対応して、自動送信する送出先及び付加する文章を予め登録しておくようにしたので、特定の顔画像が写真に含まれている場合に、その写真を、文章と共に自動送信することもできる。例えば、孫の写真を撮ったら、その顔画像を顔認識することで、自動的に祖父母に電子メールなどにより送ることができる。
【０１２８】
また、上述の実施形態では、送出される文章、あるいは撮影画像と文章には、現在位置の情報と地図サイトへのリンク情報が付加されているので、受信者は、そのリンク情報を用いて、地図サイトへアクセスして、送出者の現在位置近傍の地図を容易に取得することができて、送出者の現在位置を地図上で確認するなどが容易にでき、便利である。
【０１２９】
［他の実施形態又は変形例］
上述の実施形態は、文章作成送出装置は、携帯電話端末の場合としたが、携帯電話端末に限られるものはない。要は、位置情報及びそれに関連する情報を取得する機能や、カメラ部を備える携帯装置であれば、この発明の文章作成送出装置を適用することができる。
【０１３０】
また、位置に関連する情報としては、ランドマークを例に取ったが、これに限られるものではない。例えば、「（  ）の（  ）は、（  ）でした。」というテンプレートに対して、日付け、場所名を取得すると共に、その日のその場所の混雑状況などをｗｅｂサイトから取得することで、「（昨日）の（隅田川の花火大会）は、（人が多くて大変）でした。」などの文章を作成することもできる。
【０１３１】
なお、位置に紐付いた画像情報は、撮像画像情報としたが、撮像画像情報に限られるものではなく、描画された画像情報などであっても良い。
【符号の説明】
【０１３２】
１０…携帯電話端末、２０…通信ネットワーク、１０７…ＧＰＳ測位部、１０８…メモリ、１１０…顔画像認識部、１１１…カメラ部、１１４…ディスプレイ、１２１…発信手段、１２３…文章作成手段、１２４…ネットワーク情報収集手段、１２５…文章作成送出制御手段
【図１】
2014089546.tif 000003
【図２】
2014089546.tif 000004
【図３】
2014089546.tif 000005
【図４】
2014089546.tif 000006
【図５】
2014089546.tif 000007
【図６】
2014089546.tif 000008
【図７】
2014089546.tif 000009
【図８】
2014089546.tif 000010
【図９】
2014089546.tif 000011
【図１０】
2014089546.tif 000012
【図１１】
2014089546.tif 000013
【図１２】
2014089546.tif 000014
【図１３】
2014089546.tif 000015
【図１４】
2014089546.tif 000016
【図１５】
2014089546.tif 000017